(57)【要約】【課題】モータターミナルの先端部の振動による騒音の発生を抑制できるモータを提供する。【解決手段】モータ１０は、ブラシ３６及びモータターミナル３８を有する給電部材２０と、ブラシホルダ２２とを備える。ブラシ３６は、整流子２６の径方向に延びており、モータターミナル３８は、回転軸３０の軸方向に沿ってブラシ３６の基端部から延びている。ブラシ３６の基端部とモータターミナル３８の基端部との接合部によって第一被固定部５０が形成されており、第一被固定部５０よりもモータターミナル３８の先端部には、切り起し片である第二被固定部５２が形成されている。ブラシホルダ２２は、第一被固定部５０を固定する溝である第一固定部８０と、第二被固定部５２を係合する第二固定部８２とを有している。そして、モータターミナル３８は、第一被固定部５０及び第二被固定部５２の二箇所でブラシホルダ２２に固定されている。【選択図】図３
2018046598.tif 000002
【特許請求の範囲】
【請求項１】
有底筒状のケーシングと、
前記ケーシングの内周面に固定された固定子と、
前記固定子の内側に配置された鉄心と、前記鉄心の軸方向一方側に配置された整流子と、前記鉄心に巻装されると共に前記整流子に結線された巻線と、前記鉄心及び前記整流子が固定された回転軸とを有する回転子と、
前記整流子の径方向に延びて先端部が前記整流子に摺接するブラシと、
基端部が前記ブラシの基端部と接合され、先端部が電源に接続されるモータターミナルと、
前記ブラシ及び前記モータターミナルを保持するブラシホルダと、
前記ブラシの基端部と前記モータターミナルの基端部との接合部によって形成された第一被固定部と、前記ブラシホルダに形成され前記第一被固定部を固定する第一固定部とを有する第一固定構造と、
前記モータターミナルに形成され前記第一被固定部よりも前記モータターミナルの先端部側に位置する第二被固定部と、前記ブラシホルダに形成され前記第二被固定部を固定する第二固定部とを有する第二固定構造と、
を備えるモータ。
【請求項２】
前記ブラシは、前記整流子の径方向に沿って長尺の板状に形成され、
前記モータターミナルは、前記回転軸の軸方向に沿って長尺の板状に形成され、
前記モータターミナルの基端部は、前記ブラシの基端部に重ね合わされて接合されている、
請求項１に記載のモータ。
【請求項３】
前記第一被固定部は、前記モータターミナルの長手方向に並び、前記ブラシと前記モータターミナルとをかしめ固定する複数のかしめ部を有する、
請求項２に記載のモータ。
【請求項４】
前記ブラシの基端部は、前記ブラシの基端部よりも先端部側の部分に比して、前記ブラシの板幅方向に幅広に形成されている、
請求項３に記載のモータ。
【請求項５】
前記第一固定部は、前記ブラシ及び前記モータターミナルの板厚方向の両側から前記第一被固定部を挟持する溝によって形成され、
前記第二被固定部は、前記モータターミナルの一部を切り起した切り起し片によって形成され、
前記ブラシホルダには、前記モータターミナルが挿入される挿入孔が形成され、
前記第二固定部は、前記挿入孔の内周面に形成され、前記第二被固定部と係合する、
請求項２〜請求項４のいずれか一項に記載のモータ。
【発明の詳細な説明】
【技術分野】
【０００１】
本発明は、ブラシと、ブラシに接合されたモータターミナルとを備えるモータに関する。
【背景技術】
【０００２】
特許文献１には、ブラシと、ブラシに接合されたモータターミナル（接続端子）とを備えるモータが開示されている。この特許文献１に記載のモータは、より具体的には、有底筒状のケーシングと、ケーシングの軸方向一方側の開口を塞ぐ蓋板と、ケーシングの内周面に固定された固定子と、固定子の内側に回転可能に配置された回転子と、蓋板に固定されたブラシホルダとを備える。ブラシホルダには、蓋板を貫通する接続端子支持部が形成されており、モータターミナルは、接続端子支持部に形成された保持用孔に圧入されて保持されている。また、モータターミナルが保持用孔に保持された状態において、ブラシの先端部は、整流子に接触している。
【先行技術文献】
【特許文献】
【０００３】
【特許文献１】特許第３７０６３０１号公報
【発明の概要】
【発明が解決しようとする課題】
【０００４】
上記モータにおいて、回転子が回転すると、ブラシの先端部が整流子の周方向に配列された複数のセグメントに断続的に接触するため、ブラシが振動する。ここで、特許文献１に記載のモータでは、モータターミナルがブラシホルダの保持用孔に圧入されて保持されることにより、モータターミナルがブラシホルダに一箇所で固定されている。
【０００５】
しかしながら、このような構造の場合、ブラシからブラシホルダに振動が伝達されるポイントが少ないため、結果的に、ブラシからモータターミナルの先端部へ至る振動が大きくなり、騒音が発生する虞がある。
【０００６】
本発明は、上記課題に鑑みてなされたものであって、モータターミナルの先端部の振動による騒音の発生を抑制できるモータを提供することを目的とする。
【課題を解決するための手段】
【０００７】
前記課題を解決するために、請求項１に記載のモータは、有底筒状のケーシングと、前記ケーシングの内周面に固定された固定子と、前記固定子の内側に配置された鉄心と、前記鉄心の軸方向一方側に配置された整流子と、前記鉄心に巻装されると共に前記整流子に結線された巻線と、前記鉄心及び前記整流子が固定された回転軸とを有する回転子と、前記整流子の径方向に延びて先端部が前記整流子に摺接するブラシと、基端部が前記ブラシの基端部と接合され、先端部が電源に接続されるモータターミナルと、前記ブラシ及び前記モータターミナルを保持するブラシホルダと、前記ブラシの基端部と前記モータターミナルの基端部との接合部によって形成された第一被固定部と、前記ブラシホルダに形成され前記第一被固定部を固定する第一固定部とを有する第一固定構造と、前記モータターミナルに形成され前記第一被固定部よりも前記モータターミナルの先端部側に位置する第二被固定部と、前記ブラシホルダに形成され前記第二被固定部を固定する第二固定部とを有する第二固定構造と、を備える。
【０００８】
このモータによれば、ブラシの基端部とモータターミナルの基端部との接合部によって第一被固定部が形成されており、この第一被固定部は、ブラシホルダの第一固定部に固定されている。また、モータターミナルには、第一被固定部よりもモータターミナルの先端部側に位置する第二被固定部が形成されており、この第二被固定部は、ブラシホルダの第二固定部に固定されている。
【０００９】
つまり、モータターミナルが第一被固定部及び第二被固定部の二箇所でブラシホルダに固定されており、モータターミナルがブラシホルダに一箇所で固定される場合に比して、ブラシからブラシホルダに振動が伝達されるポイントが多くなっている。したがって、ブラシからモータターミナルの先端部へ至る振動を抑制することができるので、モータターミナルの先端部の振動による騒音の発生を抑制することができる。
【００１０】
しかも、第二被固定部は、第一被固定部よりもモータターミナルの先端部側、すなわち、モータターミナルの自由端側に形成されている。そして、これにより、第一被固定部及び第二被固定部によってモータターミナルの振動部の長さが二分されている。したがって、モータターミナルの一次モードの振動がモータターミナルの先端部側に影響することを抑制することができるので、モータターミナルの先端部の振動による騒音の発生をより一層効果的に抑制することができる。
【００１１】
なお、請求項２に記載のモータのように、請求項１に記載のモータにおいて、前記ブラシは、前記整流子の径方向に沿って長尺の板状に形成され、前記モータターミナルは、前記回転軸の軸方向に沿って長尺の板状に形成され、前記モータターミナルの基端部は、前記ブラシの基端部に重ね合わされて接合されていても良い。
【００１２】
このモータによれば、板状のモータターミナルの基端部が同じく板状のブラシの基端部に重ね合わされて接合されているので、ブラシの板厚方向への振動に伴いモータターミナルが板厚方向に振動しやすいが、モータターミナルは、第一被固定部及び第二被固定部の二箇所で板厚方向に固定されているので、モータターミナルの板厚方向の振動による騒音の発生をより効果的に抑制することができる。
【００１３】
また、請求項３に記載のモータのように、請求項２に記載のモータにおいて、前記第一被固定部は、前記モータターミナルの長手方向に並び、前記ブラシと前記モータターミナルとをかしめ固定する複数のかしめ部を有していても良い。
【００１４】
このモータによれば、ブラシとモータターミナルとは、モータターミナルの長手方向に並ぶ複数のかしめ部によってかしめ固定されている。したがって、第一被固定部における複数のかしめ部と、この第一被固定部よりもモータターミナルの先端部側に形成された第二被固定部とを合せた複数の固定箇所でモータターミナルを拘束することができるので、モータターミナルの板厚方向の振動をより一層効果的に抑制することができる。
【００１５】
また、請求項４に記載のモータのように、請求項３に記載のモータにおいて、前記ブラシの基端部は、前記ブラシの基端部よりも先端部側の部分に比して、前記ブラシの板幅方向に幅広に形成されていても良い。
【００１６】
このモータによれば、ブラシの基端部は、ブラシの基端部よりも先端部側の部分に比して、ブラシの板幅方向に幅広に形成されている。したがって、ブラシの基端部とモータターミナルの基端部との接合面積を大きく確保することができるので、例えば、複数のかしめ部の一つ当たりの大きさを大きくすることができる。これにより、ブラシの基端部からモータターミナルの基端部を介してブラシホルダに効率良く振動を伝達することができるので、ブラシからモータターミナルの先端部へ至る振動をより一層効果的に抑制することができる。
【００１７】
また、請求項５に記載のモータのように、請求項２〜請求項４のいずれか一項に記載のモータにおいて、前記第一固定部は、前記ブラシ及び前記モータターミナルの板厚方向の両側から前記第一被固定部を挟持する溝によって形成され、前記第二被固定部は、前記モータターミナルの一部を切り起した切り起し片によって形成され、前記ブラシホルダには、前記モータターミナルが挿入される挿入孔が形成され、前記第二固定部は、前記挿入孔の内周面に形成され、前記第二被固定部と係合しても良い。
【００１８】
このモータによれば、溝である第一固定部により、第一被固定部をブラシ及びモータターミナルの板厚方向の両側から挟持するので、簡単な構成によって第一被固定部をブラシホルダに強固に固定することができる。
【００１９】
また、第二被固定部は、モータターミナルの一部を切り起した切り起し片によって形成され、第二固定部は、モータターミナルが挿入される挿入孔の内周面に形成される。したがって、モータターミナルを挿入孔に挿入する際に、これに伴って第二被固定部を第二固定部に容易に固定することができる。
【図面の簡単な説明】
【００２０】
【図１】本発明の一実施形態に係るモータの縦断面図である。
【図２】図１に示される給電部材の拡大図である。
【図３】図１に示される給電部材及びその周辺部の拡大図である。
【図４】図１のブラシホルダを図１の矢印Ａ２側から見た図である。
【図５】図４のＡ部拡大図である。
【図６】第一比較例に係るモータにおける給電部材及びその周辺部の拡大図である。
【図７】第二比較例に係るモータにおける給電部材及びその周辺部の拡大図である。
【発明を実施するための形態】
【００２１】
以下、本発明の一実施形態について説明する。
【００２２】
図１に示されるように、本発明の一実施形態に係るモータ１０は、ケーシング１２と、固定子１６と、回転子１８と、給電部材２０と、ブラシホルダ２２とを主要な構成として備える。矢印Ａ１は、モータ１０の軸方向一方側を示し、矢印Ａ２は、モータ１０の軸方向他方側を示している。
【００２３】
ケーシング１２は、有底筒状に形成されており、蓋板１４が、ケーシング１２の軸方向一方側に形成された開口を塞いでいる。固定子１６は、ケーシング１２の内周面に固定されている。この固定子１６は、環状に成形され、複数の永久磁石によって形成されている。なお、固定子１６は、ケーシング１２の周方向に並ぶ複数の永久磁石によって形成されても良い。
【００２４】
回転子１８は、鉄心２４と、整流子２６と、巻線２８と、回転軸３０とを有する。鉄心２４は、固定子１６の径方向内側に固定子１６と隙間を有して配置されており、整流子２６は、鉄心２４の軸方向一方側に配置されている。この鉄心２４及び整流子２６は、回転軸３０に固定されている。巻線２８は、鉄心２４に巻装されると共に、整流子２６に結線されている。ケーシング１２の底部及び蓋板１４の中央部には、それぞれ軸受３２、３４が設けられており、回転軸３０は、一対の軸受３２、３４に回転可能に支持されている。回転軸３０の一端は、ケーシング１２の底部を貫通し、このケーシング１２の底部から外部に突出する。
【００２５】
給電部材２０は、ブラシ３６と、モータターミナル３８（接続端子）とを有する。ブラシ３６は、整流子２６の径方向に延びている。本実施形態では、一例として、ブラシ３６は、一対設けられている。この一対のブラシ３６は、整流子２６を中心に点対称に配置されている。一対のブラシ３６の先端部は、整流子２６を挟んだ両側に位置し、回転子１８の回転に伴い整流子２６と摺接する。ブラシ３６の基端部側には、防振テープ４０が貼り付けられている。
【００２６】
モータターミナル３８は、回転軸３０の軸方向に沿ってブラシ３６の基端部から鉄心２４と反対側に延びている。モータターミナル３８の先端部は、蓋板１４を貫通し、蓋板１４から外部に突出している。このモータターミナル３８の先端部は、電源に接続される。
【００２７】
ブラシホルダ２２は、ケーシング１２の軸方向における固定子１６と蓋板１４との間に配置されており、蓋板１４に固定されている。このブラシホルダ２２は、蓋板１４側と反対側に開口する概略凹状に形成されている。ブラシホルダ２２の中央部には、回転軸３０が貫通する貫通孔４２が形成されている。このブラシホルダ２２は、以下に詳述する如く、給電部材２０を保持する。
【００２８】
続いて、給電部材２０及びその周辺部について、より詳細に説明する。
【００２９】
図２に示されるように、ブラシ３６は、モータ側面視にて整流子２６の径方向に沿って長尺の板状に形成されている。このブラシ３６は、整流子２６の軸方向を板幅方向として配置されている。モータターミナル３８は、回転軸３０の軸方向に沿って長尺の板状に形成されている。このモータターミナル３８は、ブラシ３６の板幅方向を長手方向として配置されている。モータターミナル３８の基端部３８Ａは、ブラシ３６の基端部３６Ａに重ね合わされている。
【００３０】
ブラシ３６の基端部３６Ａ及びモータターミナル３８の基端部３８Ａは、後述するかしめ固定により接合されている。このブラシ３６及びモータターミナル３８を有して構成された給電部材２０は、より具体的には、第一被固定部５０と、第二被固定部５２とを有する。
【００３１】
第一被固定部５０は、ブラシ３６の基端部３６Ａとモータターミナル３８の基端部３８Ａとの接合部によって形成されている。この第一被固定部５０は、モータターミナル３８の長手方向に並ぶ一対のかしめ部５４Ａ、５４Ｂを有する。かしめ部５４Ａは、かしめ部５４Ｂよりもモータターミナル３８の先端部側に位置している。
【００３２】
一対のかしめ部５４Ａ、５４Ｂは、ブラシ３６及びモータターミナル３８の一方に形成された孔と、ブラシ３６及びモータターミナル３８の他方に形成された凸部によって構成される。各かしめ部５４Ａ、５４Ｂにおいて、凸部は、孔に挿入された後、先端側からかしめられることにより押し潰されて孔の周囲部に固定される。
【００３３】
一対のかしめ部５４Ａ、５４Ｂによってモータターミナル３８の基端部３８Ａと接合されたブラシ３６の基端部３６Ａは、ブラシ３６の基端部よりも先端部側の部分に比して、ブラシ３６の板幅方向に幅広に形成されている。つまり、ブラシ３６の基端部の幅をＷ１とし、ブラシ３６の基端部よりも先端部側の部分の幅をＷ２とすると、幅Ｗ１は、幅Ｗ２よりも大きくなっている（Ｗ１＞Ｗ２）。
【００３４】
第二被固定部５２は、モータターミナル３８に形成されており、第一被固定部５０よりもモータターミナル３８の先端部側に位置する。この第二被固定部５２は、図２において部分的に二面図にて示されるように、モータターミナル３８の一部を斜めに切り起した切り起し片によって形成されている。この第二被固定部５２を形成する切り起し片は、モータターミナル３８の先端部側に基端部を有し、モータターミナル３８の基端部側に自由端部を有している。
【００３５】
また、モータターミナル３８には、一対の係止部５６と、圧入部５８と、抜止部６０が形成されている。一対の係止部５６は、第一被固定部５０よりもモータターミナル３８の先端部側に形成されている。この一対の係止部５６は、後述の圧入部５８に対してモータターミナル３８の幅方向両側にそれぞれ突出している。圧入部５８は、モータターミナル３８の長手方向における第二被固定部５２と同じ位置に形成されている。この圧入部５８の幅方向両側の縁部は、ギザギザ状に形成されている。
【００３６】
抜止部６０は、第二被固定部５２よりもモータターミナル３８の先端部側に形成されている。この抜止部６０は、図２において部分的に二面図にて示されるように、モータターミナル３８の一部を斜めに切り起した切り起し片によって形成されている。この抜止部６０を形成する切り起し片は、第二被固定部５２を形成する切り起し片と同様に、モータターミナル３８の先端部側に基端部を有し、モータターミナル３８の基端部側に自由端部を有している。
【００３７】
一方、図３に示されるように、ブラシホルダ２２の底部の外周部側の部分には、蓋板１４側に突出する突出部７０が形成されている。この突出部７０は、蓋板１４に貫通形成された固定孔７２に圧入されており、これにより、ブラシホルダ２２は、蓋板１４に固定されている。突出部７０には、この突出部７０の突出方向に貫通する圧入孔７４が形成されている。この圧入孔７４は、本発明における「モータターミナルが挿入される挿入孔」の一例である。
【００３８】
また、ブラシホルダ２２は、第一被固定部５０を固定する第一固定部８０と、第二被固定部５２を固定する第二固定部８２とを有する。第一固定部８０は、蓋板１４と反対側に開口する溝によって形成されている。図３は、第一固定部８０の溝幅方向中央部で切断した縦断面図である。この溝である第一固定部８０は、ブラシホルダ２２の周方向における圧入孔７４と整合する位置に形成されており、ブラシホルダ２２の軸方向に圧入孔７４と連通している。また、この溝である第一固定部８０は、ブラシホルダ２２の径方向内側に開放している（図４、図５も参照）。
【００３９】
図５に示されるように、溝である第一固定部８０に形成された一対の側壁面８４、８６のうち一方の側壁面８４には、他方の側壁面８６側に突出する突起部８８が形成されている。また、一方の側壁面８４には、突起部８８よりもブラシホルダ２２の径方向内側に、他方の側壁面８６側に突出する突起状のスペーサ８９が形成されている。第二固定部８２は、図３において部分的に二面図にて示されるように、圧入孔７４の内周面に形成されている。
【００４０】
そして、上述の給電部材２０は、次の要領でブラシホルダ２２に組み付けられている。すなわち、図３に示されるブラシホルダ２２の開口を通じて給電部材２０がブラシホルダ２２の内側に挿入されると共に、モータターミナル３８が先端部側から圧入孔７４に挿入される。そして、モータターミナル３８の圧入部５８がブラシホルダ２２の圧入孔７４に圧入される。
【００４１】
また、同時に、ブラシ３６の基端部３６Ａとモータターミナル３８の基端部３８Ａとの接合部によって形成された第一被固定部５０が溝である第一固定部８０に圧入される（図４、図５も参照）。第一固定部８０に第一被固定部５０が圧入された状態では、第一被固定部５０がブラシ３６及びモータターミナル３８の板厚方向の両側から第一固定部８０の両側の側壁面８４、８６によって挟持される。
【００４２】
つまり、より具体的には、図５に示されるように、第一被固定部５０において、ブラシ３６の基端部３６Ａ（一対のかしめ部５４Ａ、５４Ｂ）には、一方の側壁面８４に形成された突起部８８が当接し、モータターミナル３８の基端部３８Ａには、他方の側壁面８６が当接する。なお、突起部８８は、モータターミナル３８の長手方向に関して第一被固定部５０の一対のかしめ部５４Ａ、５４Ｂの長さよりも長く設けられている。また、突起部８８は、一対のかしめ部５４Ａ、５４Ｂのモータターミナル３８の長手方向全体で当接することが望ましい。
【００４３】
また、図３に示されるように、圧入部５８が圧入孔７４に圧入されると共に、第一被固定部５０が第一固定部８０に圧入された状態では、図３において部分的に二面図にて示されるように、切り起し片である抜止部６０が圧入孔７４の出口側の周縁部と係止し、同じく切り起し片である第二被固定部５２が圧入孔７４の内周面の一部である第二固定部８２と係合する。さらに、係止部５６は、圧入孔７４の入口側の周縁部と係止する。抜止部６０が圧入孔７４の出口側の周縁部と係止し、係止部５６が圧入孔７４の入口側の周縁部と係止することで、モータターミナル３８がブラシホルダ２２に対して抜け止めされる。そして、以上の要領で、給電部材２０は、ブラシホルダ２２に組み付けられる。
【００４４】
なお、本実施形態に係るモータ１０において、ブラシ３６の基端部とモータターミナル３８の基端部との接合部によって形成された第一被固定部５０と、ブラシホルダ２２に形成され第一被固定部５０を固定する第一固定部８０とは、第一固定構造９０を構成している。また、第一被固定部５０よりもモータターミナル３８の先端部に形成された第二被固定部５２と、ブラシホルダ２２に形成され第二被固定部５２を固定する第二固定部８２とは、第二固定構造９２を構成している。
【００４５】
図３では、第一固定構造９０及び第二固定構造９２がいずれも枠で囲って表示されている。このように、本実施形態に係るモータ１０では、第一固定構造９０及び第二固定構造９２の二箇所でモータターミナル３８がブラシホルダ２２に固定されている。
【００４６】
次に、本発明の一実施形態の作用及び効果について説明する。
【００４７】
先ず、本発明の一実施形態の作用及び効果を明確にするために、比較例について説明する。図６には、第一比較例が示されており、図７には、第二比較例が示されている。
【００４８】
図６に示される第一比較例では、上述の本発明の一実施形態に対し、溝である第一固定部８０が省かれている。つまり、ブラシ３６の基端部３６Ａとモータターミナル３８の基端部３８Ａとの接合部は、ブラシホルダ２２に対して非固定状態となっており、モータターミナル３８は、固定構造１２２の一箇所でブラシホルダ２２に固定されている。固定構造１２２は、切り起し片である被固定部１０２と、ブラシホルダ２２に形成されたターミナル挿入孔の内周面の一部である固定部１１２とを有する。図６では、固定構造１２２が枠で囲って表示されている。
【００４９】
一方、図７に示される第二比較例では、上述の本発明の一実施形態に対し、切り起し片である第二被固定部５２と、この第二被固定部５２が係合する第二固定部８２が省かれている。つまり、モータターミナル３８の基端部よりも先端部側の部分は、ブラシホルダ２２に対して非固定状態となっており、モータターミナル３８は、固定構造１２０の一箇所でブラシホルダ２２に固定されている。固定構造１２０は、ブラシ３６の基端部３６Ａとモータターミナル３８の基端部３８Ａとの接合部である被固定部１００と、ブラシホルダ２２に形成された溝である固定部１１０とを有する。図７では、固定構造１２０が枠で囲って表示されている。
【００５０】
しかしながら、上記第一比較例及び第二比較例では、モータターミナル３８がブラシホルダ２２に一箇所で固定されている。このような構造の場合、ブラシ３６からブラシホルダ２２に振動が伝達されるポイントが少ないため、結果的に、ブラシ３６からモータターミナル３８の先端部へ至る振動が大きくなり、騒音が発生する虞がある。
【００５１】
これに対し、上述の本発明の一実施形態に係るモータ１０では、図３に示されるように、ブラシ３６の基端部３６Ａとモータターミナル３８の基端部３８Ａとの接合部によって第一被固定部５０が形成されており、この第一被固定部５０は、ブラシホルダ２２に形成された溝である第一固定部８０に圧入されて固定されている。また、第一被固定部５０よりもモータターミナル３８の先端部側には、切り起し片である第二被固定部５２が形成されており、この第二被固定部５２は、ブラシホルダ２２に形成された第二固定部８２に係合されて固定されている。
【００５２】
つまり、上述の本発明の一実施形態に係るモータ１０では、モータターミナル３８が第一被固定部５０及び第二被固定部５２の二箇所でブラシホルダ２２に固定されており、上述の第一比較例及び第二比較例のようにモータターミナル３８がブラシホルダ２２に一箇所で固定される場合に比して、ブラシ３６からブラシホルダ２２に振動が伝達されるポイントが多くなっている。したがって、ブラシ３６からモータターミナル３８の先端部へ至る振動を抑制することができるので、モータターミナル３８の先端部の振動による騒音の発生を抑制することができる。
【００５３】
しかも、第二被固定部５２は、第一被固定部５０よりもモータターミナル３８の先端部側、すなわち、モータターミナル３８の自由端側に形成されている。そして、これにより、第一被固定部５０及び第二被固定部５２によってモータターミナル３８の振動部の長さが二分されている。したがって、モータターミナル３８の一次モードの振動がモータターミナル３８の先端部側に影響することを抑制することができるので、モータターミナル３８の先端部の振動による騒音の発生をより一層効果的に抑制することができる。
【００５４】
また、板状のモータターミナル３８の基端部３８Ａが同じく板状のブラシ３６の基端部３６Ａに重ね合わされて接合されているので、ブラシ３６の板厚方向への振動に伴いモータターミナル３８が板厚方向に振動しやすいが、モータターミナル３８は、第一被固定部５０及び第二被固定部５２の二箇所で板厚方向に固定されているので、モータターミナル３８の板厚方向の振動による騒音の発生をより効果的に抑制することができる。
【００５５】
また、ブラシ３６とモータターミナル３８とは、モータターミナル３８の長手方向に並ぶ一対のかしめ部５４Ａ、５４Ｂによってかしめ固定されている。したがって、第一被固定部５０における一対のかしめ部５４Ａ、５４Ｂと、この第一被固定部５０よりもモータターミナル３８の先端部側に形成された第二被固定部５２とを合せた三つの固定箇所でモータターミナル３８を拘束することができるので、モータターミナル３８の板厚方向の振動をより一層効果的に抑制することができる。
【００５６】
このように、第一被固定部５０を構成する複数（本実施形態では一対）のかしめ部５４Ａ、５４Ｂと、第二被固定部５２とが、モータターミナル３８の長手方向に並ぶことで、振動吸収部としての拘束部をモータターミナル３８の長手方向に３点に分散させることができる。すなわち、従来よりも拘束部の数を増やすことで、ブラシ３６からモータターミナル３８の先端部へ至る振動をより一層効果的に抑制することができる。
【００５７】
また、第一被固定部５０を構成する複数のかしめ部５４Ａ、５４Ｂが、モータターミナル３８の長手方向に並んだことで、ブラシホルダ２２の開口を通じて給電部材２０がブラシホルダ２２の内側に挿入される際に、モータターミナル３８の先端部側のかしめ部５４Ａから順にかしめ部５４Ｂへと、第一固定部８０に形成された突起部８８に圧入された状態となる。ここで、図７に示されるように、モータターミナル３８の幅方向にかしめ部５４Ａ、５４Ｂが並んだ状態では、突起部８８への圧入タイミングが同時となり、圧入時に無理な力がかかったり圧入後に固着が不安定になったりする虞がある。これに対し、本実施形態のように、かしめ部５４Ａ、５４Ｂを順に圧入することで、安定した圧入構造とすることができる。
【００５８】
また、ブラシ３６の基端部３６Ａは、ブラシ３６の基端部よりも先端部側の部分に比して、ブラシ３６の板幅方向に幅広に形成されている（Ｗ１＞Ｗ２）。したがって、ブラシ３６の基端部３６Ａとモータターミナル３８の基端部３８Ａとの接合面積を大きく確保することができるので、例えば、一対のかしめ部５４Ａ、５４Ｂの一つ当たりの大きさを大きくすることができる。これにより、ブラシ３６の基端部３６Ａからモータターミナル３８の基端部３８Ａを介してブラシホルダ２２に効率良く振動を伝達することができるので、ブラシ３６からモータターミナル３８の先端部へ至る振動をより一層効果的に抑制することができる。
【００５９】
また、溝である第一固定部８０により、第一被固定部５０をブラシ３６及びモータターミナル３８の板厚方向の両側から挟持するので、簡単な構成によって第一被固定部５０をブラシホルダ２２に強固に固定することができる。
【００６０】
また、第二被固定部５２は、モータターミナル３８の一部を切り起した切り起し片によって形成され、第二固定部８２は、モータターミナル３８が圧入される圧入孔７４の内周面に形成される。したがって、モータターミナル３８を圧入孔７４に圧入する際に、これに伴って第二被固定部５２を第二固定部８２に容易に固定することができる。
【００６１】
次に、本発明の一実施形態の変形例について説明する。
【００６２】
上記実施形態において、ブラシ３６の基端部３６Ａとモータターミナル３８の基端部３８Ａとは、かしめ固定によって接合されているが、例えば、溶接や接着など、かしめ固定以外の方法で接合されていても良い。
【００６３】
また、上記実施形態において、ブラシ３６の基端部３６Ａとモータターミナル３８の基端部３８Ａとの接合には、一対のかしめ部５４Ａ、５４Ｂが用いられているが、かしめ部の数は、三つ以上でも良い。
【００６４】
また、上記実施形態において、ブラシ３６及びモータターミナル３８は、好ましくは、長尺の板状に形成されるが、長尺の板状以外の形状でも良い。
【００６５】
また、上記実施形態において、モータターミナル３８は、回転軸３０の軸方向に沿って長尺の板状に形成されているが、回転軸３０の軸方向以外の方向、すなわち、例えば、整流子２６の径方向に沿って長尺の板状に形成されていても良い。
【００６６】
また、上記実施形態において、第一被固定部５０は、好ましくは、溝である第一被固定部５０に圧入されるが、溝である第一被固定部５０の溝幅と同一寸法に形成されることで、第一被固定部５０にゼロタッチで挿入されて固定されても良い。
【００６７】
また、上記実施形態において、第一固定部８０は、好ましくは、ブラシ３６及びモータターミナル３８の板厚方向の両側から第一被固定部５０を挟持する溝によって形成されるが、第一被固定部５０を固定する構造であれば、溝以外でも良い。
【００６８】
また、上記実施形態において、第二被固定部５２は、モータターミナル３８の一部を切り起した切り起し片によって形成されているが、切り起し片以外によって形成されても良い。また、第二固定部８２は、圧入孔７４の内周面の一部であり、第二被固定部５２と係合するが、第二固定部８２には、第二被固定部５２を係止する穴を設けても良い。
【００６９】
また、上記実施形態では、好ましくは、モータターミナル３８の圧入部５８がブラシホルダ２２の圧入孔７４に圧入されるが、ブラシホルダ２２に形成された挿入孔にモータターミナル３８が挿入されるのでも良い。
【００７０】
また、上記実施形態では、蓋材１４とブラシホルダ２２とは、別個の部品として示したが、樹脂で一体に構成された部品であっても良い。
【００７１】
以上、本発明の一実施形態について説明したが、本発明は、上記に限定されるものでなく、上記以外にも、その主旨を逸脱しない範囲内において種々変形して実施可能であることは勿論である。
【符号の説明】
【００７２】
１０…モータ、１２…ケーシング、１４…蓋板、１６…固定子、１８…回転子、２０…給電部材、２２…ブラシホルダ、２４…鉄心、２６…整流子、２８…巻線、３０…回転軸、３２…軸受、３６…ブラシ、３８…モータターミナル、４０…防振テープ、４２…貫通孔、５０…第一被固定部、５２…第二被固定部、５４…かしめ部、５６…係止部、５８…圧入部、６０…抜止部、７０…突出部、７２…固定孔、７４…圧入孔（挿入孔の一例）、８０…第一固定部、８２…第二固定部、８４、８６…側壁面、８８…突起部、８９…スペーサ、９０…第一固定構造、９２…第二固定構造
【図１】
2018046598.tif 000003
【図２】
2018046598.tif 000004
【図３】
2018046598.tif 000005
【図４】
2018046598.tif 000006
【図５】
2018046598.tif 000007
【図６】
2018046598.tif 000008
【図７】
2018046598.tif 000009